(57)【要約】【課題】  電源投入切断順が複雑な複数装置を一定順で通電させなければならない場合、順番を誤り機器の破壊することを回避する。【解決手段】  コンセントの口が複数個あるテーブルタップにおいて、当該テーブルタップ上にスイッチを設け、電源投入順に合わせて、特定のコンセントの組合せで順次電源投入・電源切断が可能になる連動式テーブルタップを提供する。【選択図】図１
2015225790.tif 000002
【特許請求の範囲】
【請求項１】
コンセントの口が複数個あるテーブルタップにおいて、
当該テーブルタップ上にスイッチを設け、スイッチのステップ毎に一定順で特定のコンセントの組合せで電源投入・電源切断ができ、各ステップが停止せずに通過することの無いように、各位置にインターバルを設けたことを特徴とする連動式テーブルタップ。
【発明の詳細な説明】
【技術分野】
【０００１】
本発明は、電気製品に電源を供給するテーブルタップに関するものである。
【背景技術】
【０００２】
従来、コンセントの口が複数あるテーブルタップにおいて、全てのコンセントは独立しているのが一般的である。ＰＣ用などある特殊なテーブルタップでは、特定のコンセントにつながる機器が電源ＯＮになると、その他のすべてのコンセントにスイッチが入るという製品は存在する。（特許文献１、特許文献２）
【０００３】
しかし、昨今の電気機器、とくに複数の電気機器を組み合わせて使う大型コンピュータシステムや、業務用のシステムなどにおいては、電源投入／切断順序を誤ると機器や内蔵デバイス等を破壊しかねない場合がある。
【０００４】
完成した家電製品やコンピュータシステム等においては、電源部に保安回路が実装され、電源の投入順を意識せずに操作することができるし、運用に入るとＵＰＳが接続されている場合もありそもそも電源が落ちることがないものもある。
【０００５】
カラオケ等の音響装置においては、マイク、マイクプリアンプ、コマンダ、パワーアンプ、スピーカなどが接続されており、電源投入は、マイク→マイクプリアンプ→コマンダ→パワーアンプの順で行う必要があり、電源切断は、この逆、すなわち、パワーアンプ→コマンダ→マイクプリアンプ→マイクの順で行う必要がある。この順を誤ると大きな電源ノイズが発生したり、最悪の場合にはスピーカ等の機器を破壊してしまう危険性もある。まだ２つ３つの機器であればさほど問題にならないが、機器の数が増えると電源投入切断手順は複雑になるため、作業者の混乱を誘発し投入切断順を間違える事故のもとになる。
【先行技術文献】
【特許文献】
【０００６】
【特許文献１】特開平08-180945号公報
【特許文献２】特開平08-195252号公報
【特許文献３】特開平10-172373号公報
【発明の概要】
【発明が解決しようとする課題】
【０００７】
特許文献１は、多くの付属装置をもつ電気製品の電源の入切を簡単にし、電源スイッチの切り忘れを防止する。常時電圧が印加されている１つのメインコンセントと、該メインコンセントに電流が流れると接点が閉じ、電流が切れると接点が開くリレーと、該リレーの接点部を介して配線された複数個の連動コンセントとから構成される。
【０００８】
特許文献２は、親となる電子機器の周辺機器である子の電子機器を同時に使用する場合に於いて、簡単な構造で親となる電子機器の電源スイッチに連動し、子となる機器の電源スイッチを入れ、且つ子となる電子機器の切り忘れなどを防止できる電源タップを提供する。サービスコネクタを有する親となる電子機器と子となる周辺電子機器に給電する場合に於いて、壁などに設けられた電源コンセントに挿入される第１の電源プラグと、このプラグと電源コードにて結線され、且つ子となる電気機器の電源プラグを差し込むための１個以上のコネクター群を持ったタップ本体と、前記電源プラグとタップ本体の中間に設けられ、タップ本体への電力の供給をＯＮ，ＯＦＦする為のスイッチと、親となる電子機器のサービスコネクタに差し込まれる第２の電源プラグと、この第２の電源プラグを介して前記サービスコネクタが活電状態にあるのを検出して前記スイッチのＯＮ，ＯＦＦ制御させるためのスイッチ制御手段とにより構成された電源タップである。
【０００９】
特許文献３は、スイッチノブを第１位置にすると、第１スイッチのみオンされ、換気扇のみが駆動される。一方、スイッチノブを第２位置にすると、第１スイッチおよび第２スイッチがオンされ、換気扇が駆動されるとともに照明が点灯される。スイッチノブを第１位置または第２位置から中立位置に戻すと、第２スイッチは直ちにオフされるが、第１スイッチは遅れ機構の作用によって所定時間経過後にオフされる。したがって、照明は直ちに消灯されるが、換気扇は所定時間駆動した後に停止され、簡単に操作でき、省エネルギの要請に応えることができ、しかも十分に換気できる。
【課題を解決するための手段】
【００１０】
特許文献１、特許文献２は、両社とも複数の口を持つコンセントで、連動ではあるがメインコンセントが入るとリレーにより他のコンセントが入るというものであるが、逆にメインが切れて初めて他のコンセントが切れるため、切断順が逆になる。
【００１１】
特許文献３は、ホテルやマンションのバスルームなどにみられるもので、換気扇→照明の順に電源投入し、照明の消灯時は、照明切断後は遅れ機構により換気扇を遅れて切断させるというものであり、照明・換気扇という決まった機器同士に限定されており、利用者の選択した複数の機器を順番に電源投入・切断するという本発明の目的とは少し外れる。
【発明の効果】
【００１２】
上記の問題点に鑑み、本発明の請求項１は、コンセントの口が複数個あるテーブルタップにおいて、当該テーブルタップ上にスイッチを設け、スイッチのステップ毎に一定順で、特定のコンセントの組合せで電源投入・電源切断ができ各ステップが停止せずに通過することの無いように、各位置にインターバルを設けたことを特徴とする連動式テーブルタップである。
【図面の簡単な説明】
【００１３】
【図１】本発明の実施例のテーブルタップの図である。
【図２】本発明の実施例のテーブルタップのロータリーダイヤルのスイッチＯＦＦの時の拡大図である。
【図３】本発明の実施例のテーブルタップのロータリーダイヤルのスイッチＡ：ＯＮの時の拡大図である。
【図４】本発明の実施例のテーブルタップのロータリーダイヤルのスイッチＡ＋Ｂ：ＯＮの時の拡大図である。
【図５】本発明の実施例のテーブルタップのロータリーダイヤルのスイッチＡ＋Ｂ＋Ｃ：ＯＮの時の拡大図である。
【図６】本発明の実施例のテーブルタップのロータリーダイヤルのスイッチＡ＋Ｂ＋Ｃ＋Ｄ：ＯＮの時の拡大図である。
【図７】本発明の実施例のテーブルタップのロータリーダイヤルのストッパの一例。
【図８】本発明の実施例のロータリーダイヤルの構造の一例１。
【図９】本発明の実施例のロータリーダイヤルの構造の一例２。
【図１０】本発明の他の実施例のテーブルタップの図である。
【図１１】本発明の他の実施例のテーブルタップのストッパの一例。
【図１２】本発明の他の実施例のスライドスイッチの構造の一例１。
【図１３】本発明の他の実施例のスライドスイッチの構造の一例２。
【発明を実施するための形態】
【００１４】
図１のようなテーブルタップにおいて、複数のコンセント口と当該コンセント口を選択できるロータリースイッチがおいて、今スイッチがＯＦＦの位置にあり、すべてのコンセントはＯＦＦとなっている。(図２)また、ロータリースイッチは、図７のようなガイドウエィの溝にそって回転し、各位置においてクランク構造によるストッパが設けられ、スイッチが停止位置をノンストップで通過できないようになっている。
【００１５】
いま、ロータリースイッチを右に廻し、Ａ：ＯＮに位置になると回転が止まり、コンセントＡのみが通電される。（図３）
【００１６】
次に、さらにロータリースイッチを右に廻すと、Ａ＋Ｂ：ＯＮの位置で止まる。この時コンセントＡに加え、コンセント口ＢがＯＮになる。（図４）
【００１７】
さらにロータリースイッチを廻すと、Ａ＋Ｂ＋Ｃ：ＯＮの位置で止まり、コンセントＡ，Ｂに加え、コンセントＣの電源がＯＮとなる。(図５)
【００１８】
さらにロータリースイッチを廻すと、Ａ＋Ｂ＋Ｃ＋Ｄ：ＯＮの位置で止まり、コンセントＡ、Ｂ、Ｃに加え、コンセントＤの電源がＯＮとなる。（図６）
【００１９】
切断する場合は、一方向ダイヤルとして同様に、同じ方向に廻すことで順番に切断する。
または、逆廻しで、図６→図５→図４→図３→図２の順で順番に電源切断をしてもよい。
【００２０】
なお、ロータリーダイヤルは図７のようなガイドラインに沿って回転し、目盛位置によって、図８、図９のように可動式で各目盛位置で必ず停止するようになっており、目盛位置ＯＦＦからＡ：ＯＮと通過して、Ａ＋Ｂ：ＯＮにはできないような機構的仕組みにしておく。
【００２１】
また、実施例ではロータリーの回転型スイッチによる説明をしたが、スイッチの形はこれにこだわることなく、例えば図１０のようなリニア型のスライドスイッチでも同様の効果が得られる。この場合もスライドスイッチが図１１のようなガイドウエィの溝を移動し、各停止位置にストッパとなるクランク機構を配することにより、図１２、図１３のようにスイッチが一気に通過することのないような仕組みにしておくことが有効である。
【産業上の利用可能性】
【００２２】
本発明によると、接続する機器を問わず電源投入手順、切断手順が複雑な機器の扱いを簡素化し、機器やデバイスを電源投入ミスで壊すような事態を未然に防ぐことができる。
【符号の説明】
【００２３】
１    コンセント１
２    コンセント２
３    コンセント３
４    コンセント４
５    ロータリースイッチ
【図１】
2015225790.tif 000003
【図２】
2015225790.tif 000004
【図３】
2015225790.tif 000005
【図４】
2015225790.tif 000006
【図５】
2015225790.tif 000007
【図６】
2015225790.tif 000008
【図７】
2015225790.tif 000009
【図８】
2015225790.tif 000010
【図９】
2015225790.tif 000011
【図１０】
2015225790.tif 000012
【図１１】
2015225790.tif 000013
【図１２】
2015225790.tif 000014
【図１３】
2015225790.tif 000015